(57)【要約】【課題】構造が簡単であり、したがってそれだけ安価であって、ボックスの組立て及び下地材への取付けを特には熟練を要することなく短時間で行なうことができるボックス構造を提供する。【解決手段】石膏ボードに片面の石膏ボード用原紙を残してＶ字形の折曲げ溝を複数本並設し、該折曲げ溝には接着剤を塗布して、該石膏ボードを該折曲げ溝に沿い折曲げて接着することによりボックスを形成し、該ボックスを天井面、壁面又は柱面からの下地材に取付けたボックス構造とした。【選択図】図３
0003152953.tif 000002
【実用新案登録請求の範囲】
【請求項１】
石膏ボードに片面の石膏ボード用原紙を残してＶ字形の折曲げ溝を複数本並設し、該折曲げ溝には接着剤を塗布して、該石膏ボードを該折曲げ溝に沿い折曲げて接着することによりボックスを形成し、該ボックスを天井面、壁面又は柱面からの下地材に取付けて成ることを特徴とするボックス構造。
【請求項２】
石膏ボードの両面に折曲げ溝を両面合計で３本以上並設した請求項１記載のボックス構造。
【請求項３】
ボックスが、間接照明用の照明器具ボックス、カーテンボックス、ブラインドボックス又はニッチである請求項１又は２記載のボックス構造。
【請求項４】
ボックスが、照明器具の載置面、該照明器具からの直射光を遮る遮光面、該遮光面から折返し面への接続面及び折返し面を備える間接照明用の照明器具ボックスであって、該載置面及び該折返し面を天井面又は壁面からの下地材に取付けた請求項１記載のボックス構造。
【考案の詳細な説明】
【技術分野】
【０００１】
本考案はボックス構造に関し、更に詳しくは石膏ボードを折曲げて接着することにより形成したボックスの構造であって、間接照明用の照明器具ボックス、カーテンボックス、ブラインドボックス、ニッチ等に使用されるボックスの構造に関する。
【背景技術】
【０００２】
従来、石膏ボードを用いた前記のようなボックス構造として、間接照明用の照明器具ボックスやカーテンボックス等、各種のボックス構造が知られている（例えば特許文献１〜３参照）。しかし、これら従来のボックス構造は、構造が複雑で、施工に手間がかかるという問題がある。従来のボックスを組立て、それを天井面や壁面等からの下地材に取付けようとすると、単に高価になるというだけでなく、相応に熟練を要し、時間がかかるのである。
【先行技術文献】
【特許文献】
【０００３】
【特許文献１】実開平６−２０７３６号公報
【特許文献２】実開平６−７１６４０号公報
【特許文献３】特開２００１−３４０２１０号公報
【考案の概要】
【考案が解決しようとする課題】
【０００４】
本考案が解決しようとする課題は、構造が簡単であり、したがってそれだけ安価であって、ボックスの組立て及び下地材への取付けを特には熟練を要することなく短時間で行なうことができるボックス構造を提供する処にある。
【課題を解決するための手段】
【０００５】
前記の課題を解決する本考案は、石膏ボードに片面の石膏ボード用原紙を残してＶ字形の折曲げ溝を複数本並設し、該折曲げ溝には接着剤を塗布して、該石膏ボードを該折曲げ溝に沿い折曲げて接着することによりボックスを形成し、該ボックスを天井面、壁面又は柱面からの下地材に取付けて成ることを特徴とするボックス構造に係る。
【０００６】
本考案に係るボックス構造は、石膏ボードから形成したボックスを、建物の天井面、壁面又は柱面からの木製や鋼製等の下地材に、例えばかかる下地材の野縁として使用されるＭ形断面のＭバーに、釘、ビス、スクリュー等の留付け具で取付けた構造となっている。
【０００７】
本考案に係るボックス構造においてボックスは、石膏ボードに片面の石膏ボード用原紙を残してＶ字形の折曲げ溝を複数本並設し、該折曲げ溝には接着剤を塗布して、該石膏ボードを該折曲げ溝に沿い折曲げて接着することにより形成したものである。
【０００８】
石膏ボードは石膏板を石膏ボード用原紙で被覆した構造となっているので、石膏ボードの片面、例えば表面に縦断面で見てＶ字型の折曲げ溝を例えばカッターで開設する場合には裏面の石膏ボード用原紙を残すようにし、また石膏ボードの裏面に縦断面で見てＶ字形の折曲げ溝を例えばカッターで開設する場合には表面の石膏ボード用原紙を残すようにする。かくして石膏ボードに片面の石膏ボード用原紙を残してＶ字形の折曲げ溝を複数本並設し、かかる折曲げ溝の表面に必要に応じてプライマー処理を施した後、例えばウレタン系の接着剤を塗布して、該石膏ボードを該折曲げ溝に沿い折曲げて接着することによりボックスを形成する。
【０００９】
石膏ボードに並設する複数のＶ字形の折曲げ溝の位置や各折曲げ溝の開き角度等によって、ボックスはほぼ任意の形状に形成できるが、形成したボックスを間接照明用の照明器具ボックス、カーテンボックス、ブラインドボックス、ニッチ等に適用する場合には、石膏ボードの両面に折曲げ溝を両面合計で３本以上並設するのが好ましい。この場合、石膏ボードには４面以上が形成されることになるが、このうちの３面以上でボックスを形成しつつ、残りの１面又は２面以上は形成したボックスを天井面、壁面又は柱面からの下地材に取付けるときの補強用に使用することができる。
【００１０】
本考案に係るボックス構造において、形成したボックスの好適例は、これを間接照明用の照明器具ボックスとする場合である。この場合、ボックスは、間接照明用の照明器具の載置面、該載置面から立ち上げた該照明器具からの直射光を遮る遮光面、該遮光面から折返し面への接続面及び折返し面を備えるものとし、折返し面を前記したような補強用に使用して、かかる載置面及び折返し面を天井面又は壁面からの下地材に取付けた構造とする。
【考案の効果】
【００１１】
本考案に係るボックス構造によると、構造が簡単であり、したがってそれだけ安価であって、ボックスの組立て及び下地材への取付けを特には熟練を要することなく短時間で行なうことができる。
【図面の簡単な説明】
【００１２】
【図１】本考案に係るボックス構造において、ボックスを形成するための石膏ボードを例示する縦断面図。
【図２】図１と同じ本考案に係るボックス構造において、形成したボックスを示す縦断面図。
【図３】図１と同じ本考案に係るボックス構造を一部側面で示す縦断面図。
【図４】本考案に係る他のボックス構造において、形成したボックスを例示する縦断面図。
【図５】本考案に係る更に他のボックス構造において、形成したボックスを例示する縦断面図。
【図６】本考案に係る更に他のボックス構造を例示する縦断面図。
【図７】本考案に係る更に他のボックス構造において、ボックスを形成するための石膏ボードを例示する縦断面図。
【図８】図７と同じ本考案に係る更に他のボックス構造において、形成したボックスを示す縦断面図。
【実施例】
【００１３】
図１〜図３は同じ本考案に係るボックス構造について示すもので、これらのうちで図１はボックスを形成するための石膏ボードを、また図２は形成したボックスを、更に図３は形成したボックスを下地材に取付けたボックス構造を示していて、図３のボックス構造のボックスは間接照明用の照明器具ボックスを示している。図１において、石膏ボード１１は石膏板２１の両面（表面と裏面）を石膏ボード用原紙３１ａ，３１ｂで被覆した構造となっており、表面に裏面の石膏ボード用原紙３１ｂを残して１本のＶ字形の折曲げ溝４１ａを、また裏面に表面の石膏ボード用原紙３１ａを残して合計３本のＶ字形の折曲げ溝４１ｂ，４１ｃ，４１ｄを縦断面で見て所定間隔で並設している。石膏ボード１１の合計４本のＶ字形の折曲げ溝４１ａ〜４１ｄの各表面に、プライマー処理を施した後、接着剤を塗布して、石膏ボード１１を各Ｖ字形の折曲げ溝４１ａ〜４１ｄに沿い折曲げて接着し、図２に示すボックス５１を形成する。ボックス５１は、図示しない照明器具の載置面６１ａ、該照明器具からの直射光を遮る遮光面６１ｂ、遮光面６１ｂから折返し面６１ｅへの接続面６１ｃ，６１ｄ及び折返し面６１ｅを備えている。図３は、以上のように形成したボックス５１の載置面６１ａ及び折返し面６１ｅを、天井面から延設した下地材としてのＭバー７１に、ビス８１ａ，８１ｂで取付けたボックス構造を示している。この図３では、ボックス５１の載置面６１ａに照明器具９１ａを載置し、またボックス５１に同様にして形成した化粧用の外装カバー９１ｂが取付けられている。
【００１４】
図４は本考案に係る他のボックス構造において形成したボックスを示しており、図４のボックスも間接照明用の照明器具のボックスを示している。図４において、図示しない石膏ボードの表面に裏面の石膏ボード用原紙３１ｂを残して１本のＶ字形の折曲げ溝４２ａを、また裏面に表面の石膏ボード用原紙を残して合計２本のＶ字形の折曲げ溝４２ｂ，４２ｃを縦断面で見て所定間隔で並設し、これらの折曲げ溝４２ａ〜４２ｃの各表面に、プライマー処理を施した後、接着剤を塗布して、石膏ボードを各Ｖ字形の折曲げ溝４２ａ〜４２ｃに沿い折曲げて接着することにより、ボックス５２を形成している。ボックス５２は、図示しない照明器具の載置面６２ａ、該照明器具からの直射光を遮る遮光面６２ｂ、遮光面６２ｂから折返し面６２ｄへの接続面６２ｃ及び折返し面６２ｄを備えている。以上のように形成したボックス５２の載置面６２ａ及び折返し面６２ｄを、天井面や壁面から延設した下地材に取付け、ボックス構造とする。
【００１５】
図５は本考案に係る更に他のボックス構造において形成したボックスを示しており、図５のボックスも間接照明用の照明器具のボックスを示しているが、図５のボックスは二つのボックス部から成っている。図５において、図示しない石膏ボードの表面に裏面の石膏ボード用原紙を残して合計２本のＶ字形の折曲げ溝４３ａ，４３ｂを、また裏面に表面の石膏ボード用原紙を残して合計２本のＶ字形の折曲げ溝４３ｃ，４３ｄを縦断面で見て所定間隔で並設し、これらの折曲げ溝４３ａ〜４３ｄの各表面に、プライマー処理を施した後、接着剤を塗布して、石膏ボードを各Ｖ字形の折曲げ溝４３ａ〜４３ｄに沿い折曲げて接着することにより、図５では左側に位置するボックス部５３ａを形成する。同様に、別の図示しない石膏ボードの表面に裏面の石膏ボード用原紙を残して合計２本のＶ字形の折曲げ溝４３ｅ，４３ｆを、また裏面に表面の石膏ボード用原紙を残して合計２本のＶ字形の折曲げ溝４３ｇ，４３ｈを縦断面で見て所定間隔で並設し、これらの折曲げ溝４３ｅ〜４３ｈの各表面に、プライマー処理を施した後、接着剤を塗布して、石膏ボードを各Ｖ字形の折曲げ溝４３ｅ〜４３ｈに沿い折曲げて接着することにより、図５では右側に位置するボックス部５３ｂを形成する。そしてボックス部５３ａとボックス部５３ｂとを天面端部５３ｃで接合することによりボックス５３を形成する。ボックス５３は、図示しない照明器具の載置面６３ａ又は取付け面６３ｂ、該照明器具からの直射光を遮る遮光面６３ｃ、天面６３ｄ，６３ｅ、接続面６３ｆ〜６３ｇ及び折返し面６３ｉ，６３ｊを備えている。以上のように形成したボックス５３の天面６３ｄ，６３ｅ及び折返し面６３ｉ，６３ｊを、天井面や壁面から延設した下地材に取付けボックス構造とする。
【００１６】
図６は本考案に係る更に他のボックス構造を示しており、図６のボックス構造のボックスはブラインドボックスを示している。図６において、図示しない石膏ボードの表面に裏面の石膏ボード用原紙を残して合計２本のＶ字形の折曲げ溝４４ａ，４４ｂを、また裏面に表面の石膏ボード用原紙を残して合計２本のＶ字形の折曲げ溝４４ｃ，４４ｄを縦断面で見て所定間隔で並設し、これらの折曲げ溝４４ａ〜４４ｄの各表面に、プライマー処理を施した後、接着剤を塗布して、石膏ボードを各Ｖ字形の折曲げ溝４４ａ〜４４ｄに沿い折曲げて接着することにより、ボックス５４を形成する。ボックス５４は、図示しないブラインドの取付け面６４ａ、接続面６４ｂ，６４ｃ及び折返し面６４ｄ，６４ｅを備えており、以上のように形成したボックス５４の折返し面６４ｄ，６４ｅを、天井面から延設した下地材７４ａ，７４ｂに、ビスで取付け、ボックス構造としている。
【００１７】
図７及び図８は同じ本考案に係る更に他のボックス構造について示すもので、これらのうちで図７はボックスを形成するための石膏ボードを、また図８は形成したボックスを示していて、図２のボックスはニッチ（壁面の凹み）を示している。図７において、石膏ボード１５は石膏板２５の両面（表面と裏面）を石膏ボード用原紙３５ａ，３５ｂで被覆した構造となっており、表面に裏面の石膏ボード用原紙３５ｂを残して合計４本のＶ字形の折曲げ溝４５ａ〜４５ｄを、また裏面に表面の石膏ボード用原紙３５ａを残して合計４本のＶ字形の折曲げ溝４５ｅ〜４５ｈを縦断面で見て所定間隔で並設している。石膏ボード１５の合計８本のＶ字形の折曲げ溝４５ａ〜４５ｈの各表面に、プライマー処理を施した後、接着剤を塗布して、石膏ボード１５を各Ｖ字形の折曲げ溝４５ａ〜４５ｈに沿い折曲げて接着し、図８に示すボックス５５を形成する。ボックス５５は、背面６５ａ、接続面６５ｂ〜６５ｇ及び前面６５ｈ，６５ｉを備えており、以上のように形成したボックス５５の接続面６５ｂ，６５ｆを、柱面の下地材に、ビスで取付け、ボックス構造となるようにしている。
【符号の説明】
【００１８】
１１，１５  石膏ボード
２１，２５  石膏板
３１ａ，３１ｂ，３５ａ，３５ｂ  石膏ボード用原紙
４１ａ〜４１ｄ，４２ａ〜４２ｃ，４３ａ〜４３ｈ，４４ａ〜４４ｄ，４５ａ〜４５ｈＶ字形の折曲げ溝
５１〜５５  ボックス
６１ａ，６２ａ  照明器具の載置面
６１ｂ，６２ｂ  遮光面
６１ｃ，６１ｄ，６２ｃ  接続面
６１ｅ，６２ｄ  折返し面
【図１】
0003152953.tif 000003
【図２】
0003152953.tif 000004
【図３】
0003152953.tif 000005
【図４】
0003152953.tif 000006
【図５】
0003152953.tif 000007
【図６】
0003152953.tif 000008
【図７】
0003152953.tif 000009
【図８】
0003152953.tif 000010